(57)【特許請求の範囲】
【請求項１】
噴射方向が下向きのものである、気体を噴射する噴射口と、噴射口からの気体が衝突する受け面とを有し、
受け面は手乾燥装置正面の使用者側から見て、左右の縁部に設けてある堰と、使用者側の前面壁と、本体部の板状部からなる壁面で囲われており、
噴射口と受け面との間に手が挿入可能な空間である挿入空間を備えてなり、
手乾燥装置正面の使用者側から見て、受け面には、噴射口からの気体の噴射方向にのびる噴射線を含む面が、使用者側の前面壁から本体部の板状部にわたって受け面と交わる線を中心にした左右方向又は左もしくは右方向に、縁部に近づくにつれて下流側に傾く斜面である、排出斜面を有しており、
排出斜面と堰部分との間に集まった水を貫通穴から下部の貯水部へ排出除去する、水除去手段を有する手乾燥装置において、
噴射口からの気体の噴射方向にのびる噴射線を含む面が、使用者側の前面壁から本体部の板状部にわたって受け面と交わる線及びその線から下流側に傾く排出斜面の一部が、堰の高さより、高い位置に存するものである手に付着の水を吹き飛ばし除去する手乾燥装置。
【請求項２】
受け面の一部を、板状部側が低くなるように傾斜をつけていることを特徴とする請求項１記載の手に付着の水を吹き飛ばし除去する手乾燥装置。
【発明の詳細な説明】
【技術分野】
【０００１】
本発明は、手乾燥装置に関し、より詳細には、手に付着の水（液体）を送風により吹き飛ばし除去する手乾燥装置に関する。
【背景技術】
【０００２】
手洗い等によって手に付着した水（液体）を送風によって吹き飛ばして除去する手乾燥装置が開発等されてきた（例えば、特許文献１等）。
特許文献１には、「従来の手乾燥装置では、使用者の体格や年齢に関係なく、同一風速で気流を吹き出すために、幼い子供や老人にはジェット気流は強く、しかも子供はハンカチを持たないことが多く利用されるターゲットであるにも関わらず、使用されていない場合がある。また、子供は身長が低いために、吹き出し口の周辺に顔が来ることで、手を伝わって送風が顔にあたり不快を感じることもある。
さらにファンモータのジェット気流の音も大きいことから、子供は耳を塞ぎ利用されていないケースがあるという課題があった。本発明は、このような従来の課題を解決するものであり、使用者の体格を判断し、自動運転にて、幼いの子供には送風量の変更による静音運転を実施することができる手乾燥装置を提供することを目的」（特許文献１の発明の詳細な説明中の段落番号０００５〜０００８）になされたもので、具体的には、「外部に向かって開口した挿入口から手を抜き差しできる乾燥室と、前記乾燥室内の底部の水受け部と、前記水受け部に向けて空気を送出するノズルと前記ノズルから空気を送出するファンモータと、前記乾燥室の開口した挿入口から手を抜き差しされたことを検知する手検知部と、前記手検知部からの信号より前記ファンモータを動作させる制御部を備え、前記制御部は使用者の身長の情報を検知する構成としたもの」（特許文献１の発明の詳細な説明中の段落番号００１１）により「使用者の体格を判断し、自動運転にて、幼い子供には送風量の変更による静音運転を実施することができる」（特許文献１の発明の詳細な説明中の段落番号００１２）手乾燥装置が開示されている。
【先行技術文献】
【特許文献】
【０００３】
【特許文献１】特開２００９−２９１２２５号公報（例えば、要約、発明の詳細な説    明中の段落番号０００１〜００１２、００３１、第１図〜第３図等）
【発明の概要】
【発明が解決しようとする課題】
【０００４】
確かに、特許文献１開示の手乾燥装置によれば、「外部に向かって開口した挿入口から手を抜き差しできる乾燥室と、前記乾燥室内の底部の水受け部と、前記水受け部に向けて空気を送出するノズルと前記ノズルから空気を送出するファンモータと、前記乾燥室の開口した挿入口から手を抜き差しされたことを検知する手検知部と、前記手検知部からの信号より前記ファンモータを動作させる制御部を備えていることにより、使用者の体格情報を検知し、体格の大きい大人と体格小さい子供等の判断をし、幼いの子供には送風量の変更による静音運転を実施することができる」
（特許文献１の発明の詳細な説明中の段落番号００３１）が、（ａ）送風が顔に当たり不快になることを防止又は減少させること、（ｂ）手に付着した水を送風によって十分に吹き飛ばして除去すること、とは両立できないことから（例えば、（ａ）を達成するには送風量を減少させる必要があるが、こうすると（ｂ）が十分達成できず、逆に、（ｂ）を十分達成するには送風量を増加する必要があるが、こうすると（ａ）が十分達成できない。）、手に付着の水を送風により吹き飛ばし除去する手乾燥装置における問題となっていた。
【０００５】
そこで、本発明では、（ａ）送風が顔に当たり不快になることを防止又は減少させることと、（ｂ）手に付着した水を送風によって十分に吹き飛ばして除去すること、とが両立できる手乾燥装置を提供することを目的とする。
【課題を解決するための手段】
【０００６】
本発明の手乾燥装置（以下、「本装置」という。）は、
噴射方向が下向きのものである、気体を噴射する噴射口と、噴射口からの気体が衝突する受け面とを有し、受け面は手乾燥装置正面の使用者側から見て、左右の縁部に設けてある堰と、使用者側の前面壁と、本体部の板状部からなる壁面で囲われており、噴射口と受け面との間に手が挿入可能な空間である挿入空間を備えてなり、手乾燥装置正面の使用者側から見て、受け面には、噴射口からの気体の噴射方向にのびる噴射線を含む面が、使用者側の前面壁から本体部の板状部にわたって受け面と交わる線を中心にした左右方向又は左もしくは右方向に、縁部に近づくにつれて下流側に傾く斜面である、排出斜面を有しており、排出斜面と堰部分との間に集まった水を貫通穴から下部の貯水部へ排出除去する、水除去手段を有する手乾燥装置において、噴射口からの気体の噴射方向にのびる噴射線を含む面が、使用者側の前面壁から本体部の板状部にわたって受け面と交わる線及びその線から下流側に傾く排出斜面の一部が、堰の高さより、高い位置に存するものであり、受け面の一部を板状部側が低くなるように傾斜をつけている事を特徴とする、
手に付着の水を吹き飛ばし除去する手乾燥装置である。
【０００７】
本装置は、気体を噴射する噴射口と、受け面と、挿入空間と、を備えてなる。
噴射口は、挿入空間に挿入された手に付着した水（液体）を吹き飛ばし除去するための気体（例えば、空気）を噴射する口である。
受け面は、噴射線（仮想上の半直線）が交わる面とされる。噴射線は、噴射口を端点とする仮想上の半直線であり、噴射口からの気体の噴射方向にのびる半直線である。
挿入空間は、噴射口と受け面との間に存し、本装置が乾燥させるべき手が挿入可能な空間である（無論、挿入空間に外部空間から手を挿入することができる外部空間と挿入空間とを連通させる開口が設けられる。）。
このため噴射口から噴射された気体は、挿入空間を流通し、（挿入空間に挿入された手によって遮られない場合は）受け面に衝突する。
そして、本装置においては、噴射線を含むいずれかの平面である噴射平面による受け面の断面において、挿入空間から外部空間に向けて吹出縁の方向に近づくにつれて下流側に傾く斜面である排出斜面を有する。なお、吹出縁は、受け面の縁の一部であり、気体が挿入空間から外部空間に向けて吹き出すところに位置する受け面の縁部分である。また、下流側とは、噴射線に沿った両方向のうち噴射口とは反対方向をいい、上流側とは、噴射線に沿った両方向のうち噴射口の方向（下流側とは反対方向）をいう。
本装置は、このような挿入空間から外部空間に向けて吹出縁の方向に近づくにつれて下流側に傾く斜面である排出斜面を有すると共に、排出斜面の一部を残し他の部分がそれよりも吹出縁に近い受け面のいずれの部分よりも上流側に存するものであり、このような一部を残し他の部分がそれ（排出斜面の該一部を残し他の部分）よりも吹出縁に近い受け面のいずれの部分よりも上流側に存するものである排出斜面によって、受け面に衝突した気体が排出斜面によって吹出縁に円滑に導かれ吹き出すことができることから、吹出縁以外の方向に吹き出す気体を減少させることができる。これによって本装置は、（ｂ）手に付着した水を十分に吹き飛ばして除去することができる送風量としても、（ａ）吹出縁以外の方向に存在する顔に向けて吹き出す気体が減少するので、送風が顔に当たり不快になることを防止又は減少させることができる。
なお、ここで排出斜面の一部を残し他の部分がそれよりも吹出縁に近い受け面のいずれの部分よりも上流側に存する程度としては、排出斜面の該一部を残し他の部分から噴射線に下ろした垂線の足のうち最も上流に位置するもの（排出斜面最上流足という）と、排出斜面の該一部を残し他の部分よりも吹出縁に近い受け面から噴射線に下ろした垂線の足のうち最も上流に位置するもの（吹出縁側最上流足という）と、の間の距離（無論、排出斜面最上流足の方が吹出縁側最上流足よりも上流に位置するので、排出斜面最上流足と吹出縁側最上流足との間の距離をいう。）は、あまり小さいと前述の効果（受け面に衝突した気体が排出斜面によって吹出縁に円滑に導かれ吹き出すこと）が小さくなり、あまり大きいと本装置が大型化し設置や取扱に問題が生じるので、これらを両立する範囲とされればよいが、
通常は、好ましくは３ｃｍ以上、より好ましくは４ｃｍ以上、
最も好ましくは５ｃｍ以上であり、
逆に、好ましくは４０ｃｍ以下、より好ましくは２０ｃｍ以下、
最も好ましくは１５ｃｍ以下である。
【０００８】
本装置においては、前記噴射平面に平行かつ前記噴射平面と所定距離内に存するいずれの平面による受け面の断面形状も、前記噴射平面による受け面の断面形状に略同じであってもよい。
こうすることで前記噴射平面による受け面の断面形状に略同じ断面形状を、受け面が、前記噴射平面から所定距離内の前記噴射平面に対して垂直方向のいずれの位置においても有するので（受け面の略同一断面形状が前記噴射平面に平行なある幅で形成される）、受け面に衝突した気体が吹出縁に向かって流動する流路幅を確保することができると共に受け面が前記噴射平面に対する垂直方向の一部に凹凸を有することを減少させるので、気体が受け面に沿って吹出縁方向に円滑に流動することができ、吹出縁以外の方向に吹き出す気体を減少させ、送風が顔（吹出縁以外の方向に存在する）に当たり不快になることをうまく防止又は減少させることができる。
なお、ここにいう所定距離は、あまり小さいと上述の効果（気体が受け面に沿って吹出縁方向に円滑に流動すること）が小さくなり、あまり大きいと本装置が大型化し設置や取扱に問題が生じるので、これらを両立する範囲とされることが好ましく、通常は、好ましくは５ｃｍ以上、より好ましくは７．５ｃｍ以上、最も好ましくは１０ｃｍ以上であり、逆に、好ましくは１７．５ｃｍ以下、より好ましくは１５ｃｍ以下、最も好ましくは１２．５ｃｍ以下である。
【０００９】
本装置においては、前記噴射平面による受け面の断面において、噴射線により分割される受け面の一方側には排出斜面が形成されると共に、受け面の他方側に噴射線に近づくにつれて下流側に傾き、いずれの部分も排出斜面の最上流部分よりも上流側に存する斜面である誘導斜面が形成されているものであってもよい。
こうすることで前記噴射平面による受け面の断面において、噴射線により分割される受け面の他方側に誘導斜面が形成される。誘導斜面は、噴射線に近づくにつれて下流側に傾き、いずれの部分も排出斜面の最上流部分よりも上流側に存する斜面であるので、噴射口から噴射された気体が受け面に衝突した際、該他方側（誘導斜面が形成される側）に気体が流れることを防止又は減少させると共に、該一方側（排出斜面が形成される側）に気体をうまく導くことができる。このため気体が排出斜面に沿って吹出縁に円滑に導かれ吹き出すことができ、吹出縁以外の方向に吹き出す気体を減少させることができるので、送風が顔（吹出縁以外の方向に存在する）に当たり不快になることをうまく防止又は減少させることができる。
【００１０】
本装置においては、前記噴射平面による受け面の断面において、噴射線により分割される受け面の一方側と他方側との両側に排出斜面及び吹出縁の対が形成されるものであってもよい。
こうすることで前記噴射平面による受け面の断面において、噴射線により分割される受け面の一方側と他方側との両側に排出斜面及び吹出縁の対が形成されるので、受け面に衝突した気体は該一方側と該他方側との両側に分配される。該一方側に分配された気体は該一方側の対を構成する排出斜面に沿って流通し該一方側の対を構成する吹出縁から吹き出すと共に、該他方側に分配された気体は該他方側の対を構成する排出斜面に沿って流通し該他方側の対を構成する吹出縁から吹き出すことができるので、受け面に衝突した気体が該一方側と該他方側との両側から円滑に吹き出すことができる。これにより吹出縁以外の方向に吹き出す気体を減少させることができるので、送風が顔（吹出縁以外の方向に存在する）に当たり不快になることをうまく防止又は減少させることができる。
【００１１】
本装置においては、受け面は手乾燥装置正面の使用者側から見て、左右の縁部に設けてある堰と、使用者側の前面壁と、本体部の板状部からなる壁面で囲われており、受け面には、噴射口からの気体の噴射方向にのびる噴射線を含む面が、使用者側の前面壁から本体部の板状部にわたって受け面と交わる線を中心にした左右方向又は左もしくは右方向に、縁部に近づくにつれて下流側に傾く斜面である排出斜面を有し、
こうすることで壁面が、受け面の縁部に沿って上流側に向けて立ち上がるように前記噴射平面に略平行に形成されるので、気体が前記噴射平面に沿って流動し円滑に導かれ吹き出すことができると共に、吹き出す気体を減少させることができるので、送風が顔に当たり不快になることをうまく防止又は減少させることができる。
【００１２】
本装置においては、噴射方向が下方向に向いているもの（以下、「噴射方向下向き本装置」という。）である。
このように気体の噴射方向が下方向に向くことで（無論、受け面は上方に向く）、挿入空間に挿入された手に付着した水が噴射気体により吹き飛ばされた際（噴射方向である下方向に近い方向で主として水は吹き飛ばされる）、吹き飛ばされた水が下方に向けてうまく移動するので、手の位置よりも通常高い位置に存する顔に付着しにくくなることで、水が顔に付着することで不快感を感じたり不衛生になることを防止又は減少することができる。また、吹き飛ばされた水が主として受け面に衝突するように容易に本装置を構成できるので、そうすれば衝突した水滴を受け面に付着させることで水を捕集することもできる（吹き飛ばされた水が本装置の周辺（外部空間）に飛散等して周辺を汚染等することを防止又は減少させることができる。）。
なお、噴射方向が下方向に向くとは、噴射口からの気体噴射の速度ベクトルが鉛直下方向の成分を有することをいい、必ずしも噴射方向が鉛直下方向であることを要さないが、噴射方向が鉛直下方向に近い方が上述の効果を奏しやすいことから、通常は、噴射方向が鉛直下方向に対してなす角度（劣角をいう）が、好ましくは３０度以下、より好ましくは２０度以下、最も好ましくは１０度以下である（無論、該角度の下限は、噴射方向が鉛直下方向と一致する０度である。）。
【００１３】
噴射方向下向き本装置の場合、前記噴射平面による受け面の断面において、排出斜面の最下流部よりも吹出縁側に上流側に向けて立ち上がるように形成された堰部分を受け面が有し、排出斜面と堰部分との間に集まった水を貫通穴から下部の貯水部へ排水除去する水除去手段を有するものである。
噴射方向下向き本装置では、手から吹き飛ばされた水滴の多くが受け面に衝突し付着した後、排出斜面を下流側に向けて移動する。排出斜面の下流側端部に到達した水は、気体の流動等によって吹出縁から外部空間へ同伴されることがあり、これによって本装置の周辺（外部空間）に水が飛散又は漏出することになり周辺の汚染等を引き起こす可能性がある。これを防止又は減少させるため、排出斜面の最下流部よりも吹出縁側に、上流側に向けて立ち上がるように形成された堰部分を受け面が有するようにすれば、排出斜面を下流側に向けて移動した水は、上流側に向けて立ち上がるように形成された堰部分を乗り越えられず、吹出縁から外部空間へ飛散又は漏出することを防止又は減少させることができる。
そして、排出斜面と堰部分との間に集まった水を除去する水除去手段を有するようにすれば、堰部分を乗り越えて外部空間へ飛散又は漏出する水を確実に減少させることができる。なお、水除去手段は、排出斜面と堰部分との間に集まった水を除去することができるものであれば何ら制限されるものではないが、例えば、排出斜面と堰部分との間の受け面に形成された水抜き穴（貫通孔）を例示することができる。
【００１４】
本装置においては、排出斜面を表面が形成する斜面部材が着脱自在に取り付けられるものであってもよい。
こうすることで排出斜面を表面が形成する斜面部材を、従来からの手乾燥装置に取り付けることで本装置を簡単に構成することができるので、手乾燥装置の設置場所や目的等に応じ本装置とするか否かを自由に選択でき便利である。
【図面の簡単な説明】
【００１５】
【図１】第１実施形態の本発明の手乾燥装置（第１本装置）を示す図である。
【図２】第１本装置の断面図である。
【図３】図１（ｂ）のＦ−Ｆ断面図である。
【図４】第２実施形態の本発明の手乾燥装置（第２本装置）を示す図である。
【図５】第２本装置の断面図である。
【図６】図４（ｂ）のＦ−Ｆ断面図である。
【図７】第３実施形態及び第４実施形態の本発明の手乾燥装置（第３本装置、第４本    装置）を構成するための本体を示す断面図である。
【図８】第３実施形態及び第４実施形態の本発明の手乾燥装置（第３本装置、第４本    装置）を示す断面図である。
【図９】第１本装置の変形例を示す拡大端面図である。
【発明を実施するための形態】
【００１６】
以下、本発明の実施の形態を、図面を参照して説明する。しかしながら、これらによって本発明は何ら制限されるものではない。
【００１７】
（第１実施形態）
図１は第１実施形態の本発明の手乾燥装置（以下、「第１本装置」という。）１１を示す図であり、詳細には、図１（ａ）は第１本装置１１の正面図であり、図１（ｂ）は第１本装置１１の右側面図（図１（ａ）中の矢印Ｃ方向から見たところを示している。）である。そして、図２は第１本装置１１の断面図であり、詳細には、図２（ａ）は図１（ａ）のＡ−Ａ断面図であり、図２（ｂ）は図１（ｂ）のＢ−Ｂ断面図である。図１及び図２を参照して、第１本装置１１について説明する。なお、ここでは鉛直上方向を矢印Ｅ１にて、そして鉛直下方向を矢印Ｅ２にて、それぞれ図示した。
第１本装置１１は、大まかには、本体部２１と、本体部２１に取り付けられたノズル１３（空気の吹き出し方向を矢印Ｄにて示した。なお、ここでは矢印Ｄは鉛直下方向（矢印Ｅ２方向）である。）と、第１本装置１１の周囲に存する空気を吸入し昇圧しノズル１３に送風する本体部２１に取り付けられたブロアー（図示せず）と、本体部２１の下方に配置された貯水部１７と、を備えてなる。
【００１８】
本体部２１は、上述のブロアー（不図示）を収容しノズル１３が取り付けられた第１部分２１ａ（上部部分）と、ノズル１３から空気が噴射される噴射空間１９を第１部分２１ａとの間に挟むように形成された第３部分２１ｃ（下部部分）と、第１部分２１ａと第３部分２１ｃとを連結する第２部分２１ｂ（中間部分）と、を有してなる。
【００１９】
第１部分２１ａには、第１部分２１ａが収容したブロアー（不図示）を駆動するための電力を供給する電源コード（不図示）が取り付けられており、この電源コード（不図示）の一端が商用電源に接続されることで、電源コード（不図示）の他端に接続されたブロアー（不図示）に電力が供給されている。なお、噴射空間１９に手（不図示）が差し込まれたことを検知するセンサー（不図示）が本体部２１に取り付けられており（噴射空間１９に手（不図示）を差し込む方向が矢印Ｓとして示されている。）、該センサー（不図示）が噴射空間１９に手（不図示）が差し込まれたことを検知しているときのみブロアー （不図示）が運転されるようになっている。
ブロアー（不図示）が運転されると、第１本装置１１の周囲に存する空気をブロアー（不図示）が吸入し昇圧してノズル１３に圧送することで、ノズル１３から空気が矢印Ｄ方向（ここでは鉛直下方向）に噴射される。
【００２０】
ノズル１３から矢印Ｄ方向（鉛直下方向）に噴射された空気は、噴射空間１９を流通し、第３部分２１ｃが有する受け面１５に衝突する（噴射空間１９に手（不図示）が差し込まれていればその手の表面を噴射空気が流れ、その手の表面に付着した水を吹き飛ばし除去する。）。受け面１５は、矢印Ｄに対して垂直（ここでは略水平）な方向にのびる尾根線１５ｃ（矢印Ｄに垂直な線分に略沿っている）を境に両側で同様の形状を有しており（詳細には、尾根線１５ｃを含み矢印Ｄを含む平面（鉛直平面）に対して受け面１５は略面対称である。）、尾根線１５ｃを境に一方側には一方側面１５ａと、尾根線１５ｃを境に他方側には他方側面１５ｂと、が形成されている。
【００２１】
図３は、図１（ｂ）のＦ−Ｆ断面図であり（図２（ｂ）とは第３部分２１ｃの断面構造が異なる。）、図３も参照しつつ説明する。なお、Ｆ−Ｆ断面は、ノズル１３からの気体の噴射方向（矢印Ｄ方向）にのびるノズル１３の先端開口１３ｎを端点１６ａとする半直線である噴射線１６を含む一平面である噴射平面による断面である。なお、端点１６ａは、ノズル１３の先端開口１３ｎの重心としている。噴射線１６は尾根線１５ｃと交わり、尾根線１５ｃを境に両側に一方側面１５ａ及び他方側面１５ｂが形成されている。また、噴射線１６に沿ってノズル１３の先端開口１３ｎ（噴射口）方向が上流方向（図３中、矢印Ｇ１方向）であり、噴射線１６に沿ってノズル１３の先端開口１３ｎ（噴射口）とは反対方向が下流方向（図３中、矢印Ｇ２方向）である（即ち、図３中の上方向が上流であり、図３中の下方向が下流である。）。
一方側面１５ａは、噴射線１６と所定角度（図３中、角度ｄ１）をなし略長方形状（該長方形の１辺が尾根線１５ｃを形成する）をした斜面１５ａ１（平面）と、斜面１５ａ１の４辺のうち尾根線１５ｃを構成する１辺と対辺をなす１辺を１辺とする略長方形状をした噴射線１６と略垂直な底面１５ａ２（平面）と、噴射線１６から底面１５ａ２よりも遠い位置に立ち上がった位置に形成された堰面１５ａ３と、を含んでなる。
他方側面１５ｂは、噴射線１６と所定角度（図３中、角度ｄ２。なお、ここではｄ２＝ｄ１。具体的にはｄ２＝ｄ１＝約６０度。）をなし略長方形状（該長方形の１辺が尾根線１５ｃを形成する）をした斜面１５ｂ１（平面）と、斜面１５ｂ１の４辺のうち尾根線１５ｃを構成する１辺と対辺をなす１辺を１辺とする略長方形状をした噴射線１６と略垂直な底面１５ｂ２（平面）と、噴射線１６から底面１５ｂ２よりも遠い位置に立ち上がった位置に形成された堰面１５ｂ３と、を含んでなる。
【００２２】
ノズル１３の先端開口１３ｎ（噴射口）から噴射線１６に沿って矢印Ｄ方向に噴射された空気は、尾根線１５ｃ近傍に衝突し、尾根線１５ｃの両側（一方側面１５ａ側と他方側面１５ｂ側）に略均等に分配される。一方側面１５ａ側に流入した空気は、斜面１５ａ１から底面１５ａ２を経て堰面１５ａ３を通過し噴射空間１９から外部空間９９へ吹き出す。同様に、他方側面１５ｂ側に流入した空気は、斜面１５ｂ１から底面１５ｂ２を経て堰面１５ｂ３を通過し噴射空間１９から外部空間９９へ吹き出す。
このように受け面１５は、噴射空間１９から外部空間９９に向けて受け面１５の縁の一部を構成する吹出縁（ここでは堰面１５ａ３の外部空間９９側の縁１５ａｆ）の方向に近づくにつれて下流側（図３中、矢印Ｇ２方向側）に傾く斜面１５ａ１を有すると共に、斜面１５ａ１の少なくとも一部１５ａ１ａ（ここでは堰面１５ａ３よりも上流側（図３中、矢印Ｇ１方向側）に位置する部分）がそれ（一部１５ａ１ａ）よりも吹出縁１５ａｆに近い受け面１５のいずれの部分よりも上流側（図３中、矢印Ｇ１方向側）に存する。
また、受け面１５は、噴射空間１９から外部空間９９に向けて受け面１５の縁の一部を構成する吹出縁（ここでは堰面１５ｂ３の外部空間９９側の縁１５ｂｆ）の方向に近づくにつれて下流側（図３中、矢印Ｇ２方向側）に傾く斜面１５ｂ１を有すると共に、斜面１５ｂ１の少なくとも一部１５ｂ１ａ（ここでは堰面１５ｂ３よりも上流側（図３中、矢印Ｇ１方向側）に位置する部分）がそれ（一部１５ｂ１ａ）よりも吹出縁１５ｂｆに近い受け面１５のいずれの部分よりも上流側（図３中、矢印Ｇ１方向側）に存する。
【００２３】
そして、受け面１５の縁部の少なくとも一部に沿って上流側（図３中、矢印Ｇ１方向側）に向けて立ち上がるようにＦ−Ｆ面に略平行（尾根線１５ｃに略垂直）に前面壁２３（平板状）が形成されている。
また、第２部分２１ｂは、Ｆ−Ｆ面に略平行（前面壁２３にも略平行）な平板状の板状部２１ｂａと、板状部２１ｂａの両側（堰面１５ａ３と堰面１５ｂ３とから連続するよう）に噴射線１６に平行方向に形成された凸条部２１ｂｂと、を有してなる。
これら第２部分２１ｂと前面壁２３との間に受け面１５が形成されており、受け面１５の幅（Ｆ−Ｆ面に対して垂直方向の寸法）は、板状部２１ｂａと前面壁２３との間に形成される部分（斜面１５ａ１、底面１５ａ２、斜面１５ｂ１、底面１５ｂ２）はいずれの部分も同じ（幅ｋ１とする）であり、凸条部２１ｂｂと前面壁２３との間に形成される部分（堰面１５ａ３、堰面１５ｂ３）はいずれの部分も同じ（幅ｋ２とする。ｋ２＜ｋ１。）である。
【００２４】
底面１５ａ２及び底面１５ｂ２には、噴射線１６に略平行に貫通孔２５ａ、２５ｂが穿設されている。
そして、第３部分２１ｃの下方には、有底無蓋の皿形状をした貯水部１７が着脱自在に取り付けられており、底面１５ａ２、１５ｂ２に集まった水分は貫通孔２５ａ、２５ｂを経由して貯水部１７に流入し貯留される。なお、貯水部１７に溜まった水は、貯水部１７を取り外して廃棄するようにしても、また貯水部１７に排水管（不図示）を接続し排水するようにしてもよい。
【００２５】
以上説明したように、第１本装置１１は、気体（ここでは空気）を噴射する噴射口（ここではノズル１３の先端開口１３ｎ）と、噴射口（ノズル１３の先端開口１３ｎ）からの気体（空気）の噴射方向（矢印Ｄ方向）にのびる噴射口（ノズル１３の先端開口１３ｎ）を端点１６ａ（ここでは噴射口（ノズル１３の先端開口１３ｎ）の重心位置）とする噴射線１６が交わる面である受け面１５と、噴射口（ノズル１３の先端開口１３ｎ）と受け面１５との間に手が挿入可能な空間である挿入空間（ここでは噴射空間１９）と、を備えてなり、噴射線１６を含むいずれかの平面である噴射平面（図３が図示している断面のＦ−Ｆ面は噴射平面の一つである。）による受け面１５の断面（例えば、図３の断面）において、挿入空間（噴射空間１９）から外部空間９９に向けて受け面１５の縁の一部を構成する吹出縁（縁１５ａｆ、１５ｂｆ）の方向に近づくにつれて噴射線１６の噴射口（ノズル１３の先端開口１３ｎ）とは反対方向（矢印Ｄ方向）である下流側（図３中、矢印Ｇ２方向側）に傾く斜面である排出斜面（斜面１５ａ１、斜面１５ｂ１）を有すると共に、排出斜面（斜面１５ａ１、斜面１５ｂ１）の少なくとも一部（ここでは斜面１５ａ１の少なくとも一部１５ａ１ａ、斜面１５ｂ１の少なくとも一部１５ｂ１ａ）がそれ（一部１５ａ１ａ、一部１５ｂ１ａ）よりも吹出縁（縁１５ａｆ、１５ｂｆ）に近い受け面１５のいずれの部分よりも噴射線１６の噴射口（ノズル１３の先端開口１３ｎ）方向（矢印Ｄとは反対方向）である上流側（図３中、矢印Ｇ１方向側）に存するものである、手に付着の水を吹き飛ばし除去する手乾燥装置である。なお、ここでは噴射口（ノズル１３の先端開口１３ｎ）から噴射された気体（空気）が、排出斜面（斜面１５ａ１、斜面１５ｂ１）に衝突するようになっており、さらにここでは排出斜面（斜面１５ａ１、斜面１５ｂ１）のうち、それ（一部１５ａ１ａ、一部１５ｂ１ａ）よりも吹出縁（縁１５ａｆ、１５ｂｆ）に近い受け面１５のいずれの部分よりも上流側（図３中、矢印Ｇ１方向側）に存する排出斜面（斜面１５ａ１、斜面１５ｂ１）の少なくとも一部（一部１５ａ１ａ、一部１５ｂ１ａ）に衝突するようになっている。
【００２６】
そして、第１本装置１１においては、
前記噴射平面（例えば、図３が図示しているＦ−Ｆ面）に平行かつ前記噴射平面（図３が図示しているＦ−Ｆ面）と所定距離内に存するいずれの平面（ここでは堰面１５ａ３と堰面１５ｂ３とを通過する前記噴射平面に平行ないずれの平面）による受け面１５の断面形状も、前記噴射平面（図３が図示しているＦ−Ｆ面）による受け面１５の断面形状に略同じである。
第１本装置１１においては、前記噴射平面（図３が図示しているＦ−Ｆ面）による受け面１５の断面（図３）において、噴射線１６により分割される受け面１５の一方側（図３においては噴射線１６の右側）と他方側（図３においては噴射線１６の左側）との両側に排出斜面（斜面１５ａ１、斜面１５ｂ１）及び吹出縁（縁１５ａｆ、１５ｂｆ）の対（ここでは、該一方側には対（斜面１５ａ１と縁１５ａｆ）、該他方側には対（斜面１５ｂ１と縁１５ｂｆ））が形成されるものである。
また、第１本装置１１においては、受け面１５の縁部の少なくとも一部に沿って上流側（図３中、矢印Ｇ１方向側）に向けて立ち上がるように前記噴射平面（図３が図示しているＦ−Ｆ面）に略平行に形成された壁面（前面壁２３の受け面１５側の面）を有するものである。
第１本装置１１においては、噴射方向（矢印Ｄ方向）が下方向（ここではほぼ鉛直下方向）に向いているものである。
そして、第１本装置１１においては、前記噴射平面（図３が図示しているＦ−Ｆ面）による受け面１５の断面（図３）において、排出斜面（斜面１５ａ１、斜面１５ｂ１）の最下流部（ここでは底面１５ａ２、１５ｂ２に連なる部分）よりも吹出縁（縁１５ａｆ、１５ｂｆ）側に上流側（図３中、矢印Ｇ１方向側）に向けて立ち上がるように形成された堰部分（ここでは堰面１５ａ３と堰面１５ｂ３）を受け面１５が有し、排出斜面（斜面１５ａ１、斜面１５ｂ１）と堰部分（堰面１５ａ３、堰面１５ｂ３））との間（ここでは底面１５ａ２、１５ｂ２）に集まった水を除去する水除去手段（ここでは貫通孔２５ａ、２５ｂ）を有するものである。
【００２７】
（第２実施形態）
図４は第２実施形態の本発明の手乾燥装置（以下、「第２本装置」という。）６１を示す図であり、詳細には、図４（ａ）は第２本装置６１の正面図であり、図４（ｂ）は第２本装置６１の右側面図（図４（ａ）中の矢印Ｃ方向から見たところを示している。）である。そして、図５は第２本装置６１の断面図であり、詳細には、図５（ａ）は図４（ａ）のＡ−Ａ断面図であり、図５（ｂ）は図４（ｂ）のＢ−Ｂ断面図である。図４及び図５を参照して、第２本装置６１について説明する。なお、ここでは鉛直上方向を矢印Ｅ１にて、そして鉛直下方向を矢印Ｅ２にて、それぞれ図示した。
第２本装置６１は、第１本装置１１と同様、大まかには、本体部２１と、本体部２１に取り付けられたノズル１３（空気の吹き出し方向を矢印Ｄにて示した。なお、ここでは矢印Ｄは鉛直下方向である。）と、第２本装置６１の周囲に存する空気を吸入し昇圧しノズル１３に送風する本体部２１に取り付けられたブロアー（図示せず）と、本体部２１の下方に配置された貯水部１７と、を備えてなる。
第２本装置６１は、第１本装置１１に比し、後述するように受け面６５が異なるのみであり、それ以外は第１本装置１１と同様の構成を有している。このため第２本装置６１において第１本装置１１と同様の要素については、第１本装置１１において付したのと同じ参照番号を付し、第１本装置１１の説明と重複する説明は省略する（必要に応じ第１本装置１１の説明を参照されたい）。
【００２８】
第２本装置６１においても、ノズル１３から矢印Ｄ方向（鉛直下方向）に噴射された空気は、噴射空間１９を流通し、第３部分２１ｃが有する受け面６５に衝突する（噴射空間１９に手（不図示）が差し込まれていれば、その手の表面を噴射空気が流れ、その手の表面に付着した水を吹き飛ばし除去する。）。受け面６５は、矢印Ｄ方向に対して所定の角度をなす平面（水平面に対して傾いた平面）に沿った斜面６５ｂ（略長方形状）と、斜面６５ｂの最下部（最下流側）に連なるよう矢印Ｄ方向に対して略垂直な平面（略水平面）に沿った底面６５ｃ（略長方形状）と、斜面６５ｂの最上部（最上流側）から立ち上がるように形成された堰面６５ａ（略長方形状）と、底面６５ｃから立ち上がるように形成された堰面６５ｄ（略長方形状）（底面６５ｃの縁のうち斜面６５ｂとは反対側の縁の側に形成されている）と、を含んでいる。
【００２９】
図６は、図４（ｂ）のＦ−Ｆ断面図であり（図５（ｂ）と第３部分２１ｃの断面構造が異なる。）、図６も参照しつつ説明する。なお、Ｆ−Ｆ断面は、ノズル１３からの気体の噴射方向（矢印Ｄ方向）にのびるノズル１３の先端開口１３ｎを端点１６ａとする噴射線１６を含む一平面である噴射平面による断面である。なお、端点１６ａは、ノズル１３の先端開口１３ｎの重心としている。噴射線１６は斜面６５ｂと交わっており（通過しており）、斜面６５ｂ（略長方形）はＦ−Ｆ面に略垂直に形成されている。Ｆ−Ｆ断面において噴射線１６により斜面６５ｂは、一方側（図６中では噴射線１６の右側）に存する一方側部分６５ｂ１と、他方側（図６中では噴射線１６の左側）に存する他方側部分６５ｂ２と、に分割されている。また、噴射線１６に沿ってノズル１３の先端開口１３ｎ（噴射口）方向が上流方向（図６中、矢印Ｇ１方向）であり、噴射線１６に沿ってノズル１３の先端開口１３ｎ（噴射口）とは反対方向が下流方向（図６中、矢印Ｇ２方向）である（即ち、図６中の上方向が上流であり、図６中の下方向が下流である。）。
一方側部分６５ｂ１と他方側部分６５ｂ２とによって形成される斜面６５ｂは、全体として長方形状（平面）をなしており、噴射線１６と所定角度（図６中、角度ｄ。ここではｄ＝約７０度。水平面に対しては約２０度。）をなしている。そして、底面６５ｃは、斜面６５ｂの４辺のうち最下流側に存する１辺（一方側部分６５ｂ１の略水平な辺）を１辺とする略長方形状をした噴射線１６と略垂直な略長方形をなしている。堰面６５ｄは、噴射線１６から底面６５ｃよりも遠い位置に立ち上がった位置に形成されている。堰面６５ａは、斜面６５ｂの４辺のうち最上流側に存する１辺（他方側部分６５ｂ２の略水平な辺）に隣接して立ち上がった位置に形成されている。
【００３０】
ノズル１３の先端開口１３ｎ（噴射口）から噴射線１６に沿って矢印Ｄ方向に噴射された空気は、斜面６５ｂ（一方側部分６５ｂ１と他方側部分６５ｂ２との境界付近）に衝突し、噴射された空気の速度方向（矢印Ｄ方向）に対して斜面６５ｂが傾いている（空気の速度方向（矢印Ｄ方向）に対して垂直ではなく、この垂直に対して約２０度程度傾いている。）ことから、大半の空気は斜面６５ｂを底面６５ｃ方向に向かって流れる（斜面６５ｂに衝突した空気は、他方側部分６５ｂ２方向ではなく、大半が一方側部分６５ｂ１を下流側に向かって流れる。）。そして、一方側部分６５ｂ１に沿って底面６５ｃ方向に向かって流れた空気は、底面６５ｃを経て堰面６５ｄを通過し噴射空間１９から外部空間９９へ吹き出す。なお、一部の空気は他方側部分６５ｂ２を堰面６５ａ方向に流れ、堰面６５ａを通過し噴射空間１９から外部空間９９へ吹き出すが、大半の空気は斜面６５ｂの傾きにより底面６５ｃを経て堰面６５ｄを通過し噴射空間１９から外部空間９９へ吹き出す。
このように受け面６５は、噴射線１６を含むいずれかの平面である噴射平面（例えばＦ−Ｆ面）による受け面の断面（例えば、図６）において、噴射空間１９から外部空間９９に向けて受け面６５の縁の一部を構成する吹出縁（ここでは堰面６５ｄの外部空間９９側の縁６５ｄｆ）の方向に近づくにつれて下流側（図６中、矢印Ｇ２方向側）に傾く斜面である一方側部分６５ｂ１（排出斜面）を有すると共に、一方側部分６５ｂ１の一部６５ｂ１ａ（ここでは堰面６５ｄよりも上流側（図６中、矢印Ｇ１方向側）に位置する部分）がそれ（一部６５ｂ１ａ）よりも吹出縁６５ｄｆに近い受け面６５のいずれの部分よりも上流側（図６中、矢印Ｇ１方向側）に存する。
また、噴射線１６により分割される受け面６５の他方側（図６中、噴射線１６の左側）には噴射線１６に近づくにつれて下流側（図６中、矢印Ｇ２方向側）に傾き、いずれの部分も一方側部分６５ｂ１（排出斜面）の最上流部分（ここでは噴射線１６が通過している部分）よりも上流側（図６中、矢印Ｇ１方向側）に存する他方側部分６５ｂ２（誘導斜面）が形成されている。
【００３１】
受け面６５の縁部の少なくとも一部に沿って上流側（図６中、矢印Ｇ１方向側）に向けて立ち上がるようにＦ−Ｆ面に略平行に前面壁２３（平板状）が形成されている。
また、第２部分２１ｂは、Ｆ−Ｆ面に略平行（前面壁２３にも略平行）な平板状の板状部２１ｂａと、板状部２１ｂａの両側（堰面６５ａと堰面６５ｄから連続するよう）に噴射線１６に平行方向に形成された凸条部２１ｂｂと、を有してなる。
これら第２部分２１ｂと前面壁２３との間に受け面６５が形成されており（特に図５（ａ）参照）、受け面６５の幅（Ｆ−Ｆ面に対して垂直方向の寸法）は、板状部２１ｂａと前面壁２３との間に形成される部分（斜面６５ｂと底面６５ｃ）はいずれの部分も同じ（幅ｋ１とする）であり、凸条部２１ｂｂと前面壁２３との間に形成される部分（堰面６５ａと堰面６５ｄ）はいずれの部分も同じ（幅ｋ２とする。ｋ２＜ｋ１。）である。
【００３２】
底面６５ｃには、噴射線１６に略平行に貫通孔７５が穿設されている。
そして、第３部分２１ｃの下方には、有底無蓋の皿形状をした貯水部１７が着脱自在に取り付けられており、底面６５ｃに集まった水分は貫通孔７５を経由して貯水部１７に流入し貯留される。なお、貯水部１７に溜まった水は、貯水部１７を取り外して廃棄するようにしても、また貯水部１７に排水管（不図示）を接続し排水するようにしてもよい。
【００３３】
以上説明したように、第２本装置６１は、気体（ここでは空気）を噴射する噴射口（ここではノズル１３の先端開口１３ｎ）と、噴射口（ノズル１３の先端開口１３ｎ）からの気体（空気）の噴射方向（矢印Ｄ方向）にのびる噴射口（ノズル１３の先端開口１３ｎ）を端点１６ａ（ここでは噴射口（ノズル１３の先端開口１３ｎ）の重心位置）とする半直線である噴射線１６が交わる面である受け面６５と、噴射口（ノズル１３の先端開口１３ｎ）と受け面６５との間に手が挿入可能な空間である挿入空間（ここでは噴射空間１９）と、を備えてなり、噴射線１６を含むいずれかの平面である噴射平面（図６が図示している断面のＦ−Ｆ面は噴射平面の一つである。）による受け面６５の断面（例えば、図６の断面）において、挿入空間（噴射空間１９）から外部空間９９に向けて受け面６５の縁の一部を構成する吹出縁（縁６５ｄｆ）の方向に近づくにつれて噴射線１６の噴射口（ノズル１３の先端開口１３ｎ）とは反対方向（矢印Ｄ方向）である下流側（図６中、矢印Ｇ２方向側）に傾く斜面である排出斜面（一方側部分６５ｂ１）を有すると共に、排出斜面（一方側部分６５ｂ１）の少なくとも一部（ここでは一方側部分６５ｂ１の少なくとも一部６５ｂ１ａ）がそれ（一部６５ｂ１ａ）よりも吹出縁（縁６５ｄｆ）に近い受け面６５のいずれの部分よりも噴射線１６の噴射口（ノズル１３の先端開口１３ｎ）方向（矢印Ｄとは反対方向）である上流側（図６中、矢印Ｇ１方向側）に存するものである、手に付着の水を吹き飛ばし除去する手乾燥装置である。なお、ここでは噴射口（ノズル１３の先端開口１３ｎ）から噴射された気体（空気）が、排出斜面（一方側部分６５ｂ１）に衝突するようになっており、さらにここでは排出斜面（一方側部分６５ｂ１）のうち、それ（一部６５ｂ１ａ）よりも吹出縁（縁６５ｄｆ）に近い受け面６５のいずれの部分よりも上流側（図６中、矢印Ｇ１方向側）に存する排出斜面（一方側部分６５ｂ１）の少なくとも一部（一部６５ｂ１ａ）に衝突するようになっている。
【００３４】
そして、第２本装置６１においては、前記噴射平面（例えば、図６が図示しているＦ−Ｆ面）に平行かつ前記噴射平面（図６が図示しているＦ−Ｆ面）と所定距離内に存するいずれの平面（ここでは堰面６５ａと堰面６５ｄとを通過する前記噴射平面に平行ないずれの平面）による受け面６５の断面形状も、前記噴射平面（図６が図示しているＦ−Ｆ面）による受け面６５の断面形状に略同じである。
第２本装置６１においては、前記噴射平面（図６が図示しているＦ−Ｆ面）による受け面６５の断面（図６）において、噴射線１６により分割される受け面６５の一方側（図６においては噴射線１６の右側）には排出斜面（一方側部分６５ｂ１）が形成されると共に、受け面６５の他方側（図６においては噴射線１６の左側）には噴射線１６に近づくにつれて下流側（図６中、矢印Ｇ２方向側）に傾き、いずれの部分も排出斜面（一方側部分６５ｂ１）の最上流部分（噴射線１６が通過する部分）よりも上流側（図６中、矢印Ｇ１方向側）に存する斜面である誘導斜面（他方側部分６５ｂ２）が形成されているものである。第２本装置６１においては、受け面６５の縁部の少なくとも一部に沿って上流側（図６中、矢印Ｇ１方向側）に向けて立ち上がるように前記噴射平面（Ｆ−Ｆ面）に略平行に形成された壁面（前面壁２３の受け面６５側の面）を有するものである。
そして、第２本装置６１においては、噴射方向（矢印Ｄ方向）が下方向（ここでは鉛直下方向）に向いているものである。
また、第２本装置６１においては、前記噴射平面（図６が図示しているＦ−Ｆ面）による受け面６５の断面（図６）において、排出斜面（一方側部分６５ｂ１）の最下流部よりも吹出縁（縁６５ｄｆ）側に上流側（図６中、矢印Ｇ１方向側）に向けて立ち上がるように形成された堰部分（ここでは堰面６５ｄ）を受け面６５が有し、排出斜面（一方側部分６５ｂ１）と堰部分（堰面６５ｄ）との間に集まった水を除去する水除去手段（ここでは貫通孔７５）を有するものである。
【００３５】
（第３実施形態）
図７は、第３実施形態の本発明の手乾燥装置（以下、「第３本装置」という。）を構成するための本体１０１を示す断面図（前述の図３及び図６と同様の断面を示している。）である。図７を参照して本体１０１について説明するが、本体１０１は第１本装置１１に比し、後述するように第１本装置１１の受け面１５が下面１１５に変わった点が異なるのみであり、それ以外は第１本装置１１と同様の構成を有している。このため本体１０１において第１本装置１１と同様の要素については、第１本装置１１において付したのと同じ参照番号を付し、第１本装置１１の説明と重複する説明は省略する（必要に応じ第１本装置１１の説明を参照されたい）。
本体１０１は、大まかには、本体部２１と、本体部２１に取り付けられたノズル１３（空気の吹き出し方向を矢印Ｄにて示した。なお、ここでは矢印Ｄは鉛直下方向である。）と、本体１０１の周囲に存する空気を吸入し昇圧しノズル１３に送風する本体部２１に取り付けられたブロアー（図示せず）と、本体部２１の下方に配置された貯水部１７と、を備えてなる。
【００３６】
ノズル１３から矢印Ｄ方向（鉛直下方向）に噴射された空気は、噴射空間１９を下方に向かって流通するが、下面１１５に載置され配設される後述の斜面部材に衝突する（噴射空間１９に手（不図示）が差し込まれていれば、その手の表面を噴射空気が流れ、その手の表面に付着した水を吹き飛ばし除去する。）。
下面１１５は、噴射線１６が通過する部分が頂上となり、該頂上から噴射線１６の両側になだらかに降下する緩やかな山形状をなす中心部１１５ｂと、中心部１１５ｂの両側に立ち上がるように形成された堰面１１５ａ、１１５ｃと、を有してなる。中心部１１５ｂ上に水分が存在すると、中心部１１５ｂの山形状によって水分は自然に中心部１１５ｂの両側（中心部１１５ｂが形成する山形状のふもと方向）に移動する。
なお、図７には図示していないが、中心部１１５ｂの堰面１１５ａ、１１５ｃ近く（中心部１１５ｂが形成する山形状のふもとの位置）には、第１本装置１１と同様、噴射線１６に略平行に貫通孔２５ａ、２５ｂ（図７には不図示。図１及び図２を参照されたい。）が穿設されており、そこに集められた水は貫通孔２５ａ、２５ｂ（図７には不図示）を経由して貯水部１７に流入し貯留される。
【００３７】
図８（ａ）は、斜面部材３０５が本体１０１に配設されることで構成された第３本装置３０１を示す断面図（断面位置は図７と同様である）である。斜面部材３０５の上面３０７は、第１本装置１１における斜面１５ａ１と底面１５ａ２と斜面１５ｂ１と底面１５ｂ２との部分を合わせたものと同様の形状及び寸法を有しており、斜面部材３０５は中心部１１５ｂに載置されている。
なお、斜面部材３０５は、上面３０７に落下した水分を中心部１１５ｂの貫通孔２５ａ、２５ｂ（図７及び図８（ａ）には不図示）に導くため、貫通孔２５ａ、２５ｂ（図７及び図８（ａ）には不図示）に対応する位置に通水穴３０５ｈが穿設されているが、これに限定されるものではなく、斜面部材３０５を、ところどころに穴が穿設されたパンチングメタル（板部材）によって構成したり、スノコ状に細長い穴であるスリットがところどころに形成された板部材によって構成するようにしてもよい。
このように第３本装置３０１は、排出斜面（ここでは第１本装置１１における斜面１５ａ１及び斜面１５ｂ１に相当する上面３０７の部分）を表面（上面３０７）が形成する斜面部材３０５が本体１０１に着脱自在に取り付けられるものである。なお、第３本装置３０１における効果については、第１本装置１１の説明を参照されたい。
【００３８】
（第４実施形態）
図８（ｂ）は、斜面部材４０５が本体１０１（第３本装置３０１に用いた図７に示されたものと同じ）に配設されることで構成された第４実施形態の本発明の手乾燥装置（以下、「第４本装置」という。）４０１を示す断面図（断面位置は図７と同様である）である。斜面部材４０５の上面４０７は、第２本装置６１における堰面６５ａと斜面６５ｂと底面６５ｃとの部分を合わせたのと同様の形状及び寸法を有しており、斜面部材４０５は中心部１１５ｂ及び堰面１１５ａに載置されている。
斜面部材４０５は、上面４０７に落下した水分を中心部１１５ｂの貫通孔２５ａ（図７及び図８（ｂ）には不図示）に導くため、貫通孔２５ａ（図７及び図８（ｂ）には不図示）に対応する位置に通水穴４０５ｈが穿設されているが、これに限定されるものではなく、斜面部材４０５を、ところどころに穴が穿設されたパンチングメタル（板部材）によって構成したり、スノコ状に細長い穴であるスリットがところどころに形成された板部材によって構成するようにしてもよい。
このように第４本装置４０１は、排出斜面（ここでは第２本装置６１における一方側部分６５ｂ１に相当する上面４０７の部分）を表面（上面４０７）が形成する斜面部材４０５が本体１０１に着脱自在に取り付けられるものである。なお、第４本装置４０１における効果については、第２本装置６１の説明を参照されたい。
【００３９】
第１本装置１１、第２本装置６１、第３本装置３０１及び第４本装置４０１が、比較例である本体１０１（斜面部材が配設されないもの）に比し、（ａ）送風が顔に当たり不快になることを防止又は減少させることと、（ｂ）手に付着した水分を送風によって十分に吹き飛ばして除去すること、とがうまく両立できるかどうかを実験した。本体１０１、第１本装置１１、第２本装置６１、第３本装置３０１及び第４本装置４０１のいずれもノズル１３（ノズル１３の先端開口１３ｎ）からの空気の噴射量（体積流量）を同一で運転し（運転条件同一。なお、本体１０１、第１本装置１１、第２本装置６１、第３本装置３０１及び第４本装置４０１のいずれもノズル１３は同一のものを用いている。）、噴射空間１９に手（不図示）を差し込んで、その手の表面に付着した水を吹き飛ばし乾燥させる実験を行った。なお、手の差し込み方向は、本体１０１、第１本装置１１、第２本装置６１、第３本装置３０１及び第４本装置４０１のいずれも同じ方向から行い、図１（ｂ）、図２（ａ）、図４（ｂ）及び図５（ａ）において矢印Ｓにて示した。
（ｂ）手に付着した水を送風によって吹き飛ばして除去し乾燥させる効果は、本体１０１、第１本装置１１、第２本装置６１、第３本装置３０１及び第４本装置４０１のいずれもほぼ同じ程度であったが（同一送風量）、（ａ）送風が顔に当たり不快になることを防止又は減少させる効果は、本体１０１は強風が顔に当たって不快感を感じたが、第１本装置１１、第２本装置６１、第３本装置３０１及び第４本装置４０１のいずれも、本体１０１の場合より顔に当たる風は明らかに弱いものであり、第１本装置１１、第２本装置６１、第３本装置３０１及び第４本装置４０１は（ａ）送風が顔に当たり不快になることを防止又は減少させることと、（ｂ）手に付着した水分を送風によって十分に吹き飛ばして除去すること、とをうまく両立できることを確認した。
【００４０】
図９は、第１本装置１１の変形例（以下、「変形第１装置」という。）を示す拡大端面図（図１（ａ）中のＱ−Ｑ断面を示している。）である。図９を参照して、変形第１装置について説明する。なお、図９が示すＱ−Ｑ端面は、噴射線１６を含む噴射平面Ｐに垂直な平面のうち噴射線１６と受け面１５とが交わる点Ｚ１を含む面による端面を示している。変形第１装置は、第１本装置１１に比して、受け面１５の一部（斜面１５ａ１、１５ｂ１）が板状部２１ｂａ側が低く（下流方向（矢印Ｇ２方向））なるように傾斜がつけられていることが異なるのみで、それ以外の点は同様である。図９中において第１本装置１１の受け面１５（尾根線１５ｃ）を一点鎖線Ｋにて示しているが、噴射線１６と一点鎖線Ｋ（第１本装置１１の受け面１５）とが交わる点Ｚ２における一点鎖線Ｋ（第１本装置１１の受け面１５）の法線は噴射線１６に略一致している。一方、変形第１装置の受け面１５（尾根線１５ｃ）の点Ｚ１における法線Ｖと噴射線１６とは角度Ｙ（法線Ｖと噴射線１６とがなす角のうち劣角をいう）をなすように交わっている。角度Ｙによって変形第１装置の受け面１５は、前面壁２３側（変形第１装置の使用者の顔が存在する側）よりも板状部２１ｂａ側が低く（下流方向（矢印Ｇ２方向））なっており、これによって点Ｚ１近傍に吹き付ける風が前面壁２３側から吹き出すことが効果的に防止できる（変形第１装置の使用者の顔に風が吹き付けることを防止できる）ことが明らかになった。角度Ｙは、受け面１５の点Ｚ１における法線Ｖと噴射線１６とがなす角のうち劣角を言うので０〜９０度の範囲であるが、角度Ｙがあまり小さいと角度Ｙによる前面壁２３側からの吹出防止効果が十分に奏されず、角度Ｙがあまり大きいと装置が大型化するといった問題を生じるので、これらを両立する範囲とされるのが好ましく、通常、角度Ｙとしては、好ましくは１度以上、より好ましくは３度以上、最も好ましくは５度以上であり、逆に、好ましくは２０度以下、より好ましくは１５度以下、最も好ましくは１０度以下である（好ましくは１〜２０度、より好ましくは３〜１５度、最も好ましくは５〜１０度）。
なお、第１本装置１１と同様、第２本装置６１においても、受け面６５の一部（斜面６５ｂ）を板状部２１ｂａ側が低く（下流方向（矢印Ｇ２方向））なるように傾斜をつけることで、点Ｚ１近傍に吹き付ける風が前面壁２３側から吹き出すことが効果的に防止できる（好適な角度Ｙの範囲は上述に同じ）。
また、このように角度Ｙによって傾斜がつけられた受け面１５や受け面６５を斜面部材を用いて構成して良いことは言うまでもない。
以上のように、噴射線１６を含み噴射平面Ｐに垂直な平面による断面において、噴射線１６と受け面とが交わる点における受け面の法線Ｖと噴射線１６とがなす角度Ｙが１〜２０度であれば、角度Ｙが０である場合（Ｙ＝０度）の法線（噴射線１６に略一致）の両側のうち、該断面において受け面から上流方向（矢印Ｇ１方向）に伸びる法線Ｖが存在する側（図９では、角度Ｙが０である場合（Ｙ＝０度）の法線（噴射線１６に略一致）の右側）とは反対の側（図９では、角度Ｙが０である場合（Ｙ＝０度）の法線（噴射線１６に略一致）の左側）への風の吹出を減少させる。これにより該反対の側（図９では、角度Ｙが０である場合（Ｙ＝０度）の法線（噴射線１６に略一致）の左側）に装置の使用者の顔が位置するようにすれば、顔に風が吹き付けることを効果的に防止できる。
【符号の説明】
【００４１】
１１                 第１本装置
１３                 ノズル
１３ｎ               先端開口
１５                 受け面
１５ａ               一方側面
１５ａｆ             吹出縁
１５ａ１             斜面
１５ａ１ａ           一部
１５ａ２             底面
１５ａ３             堰面
１５ｂ               他方側面
１５ｂｆ             吹出縁
１５ｂ１             斜面
１５ｂ１ａ           一部
１５ｂ２             底面                                                      １５ｂ３             堰面
１５ｃ               尾根線
１６                 噴射線
１６ａ               端点
１７                 貯水部
１９                 噴射空間
２１                 本体部
２１ａ               第１部分
２１ｂ               第２部分
２１ｂａ             板状部
２１ｂｂ             凸条部
２１ｃ               第３部分
２３                 前面壁
２５ａ、２５ｂ       貫通孔
６１                 第２本装置
６５                 受け面
６５ａ               堰面
６５ｂ               斜面
６５ｂ１             一方側部分
６５ｂ１ａ           一部
６５ｂ２             他方側部分
６５ｃ               底面
６５ｄ               堰面
６５ｄｆ             吹出縁
７５                 貫通孔
９９                 外部空間
１０１               本体
１１５               下面
１１５ａ、１１５ｃ   堰面
１１５ｂ             中心部
３０１               第３本装置
３０５               斜面部材
３０５ｈ             通水穴
３０７               上面
４０１               第４本装置
４０５               斜面部材
４０５ｈ             通水穴
４０７               上面
【図１】
0005584027.tif 000002
【図２】
0005584027.tif 000003
【図３】
0005584027.tif 000004
【図４】
0005584027.tif 000005
【図５】
0005584027.tif 000006
【図６】
0005584027.tif 000007
【図７】
0005584027.tif 000008
【図８】
0005584027.tif 000009
【図９】
0005584027.tif 000010